【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
像担持体と、ワイヤーとシールドとを有し、前記像担持体を帯電するコロナ帯電部材と、前記シールドの前記像担持体に対する開口部を遮蔽可能な遮蔽部材と、を有する画像形成装置において、
前記遮蔽部材は前記遮蔽部材と一体で移動する発熱部を有し、前記遮蔽部材が前記開口部の遮蔽時には少なくとも前記発熱部の一部は前記開口部と前記像担持体の間に位置することを特徴とする画像形成装置。
【請求項２】
前記発熱部の領域は前記コロナ帯電部材の前記開口部領域よりも大きいことを特徴とする請求項１に記載の画像形成装置。
【請求項３】
前記遮蔽部材が前記開口部の遮蔽時の前記コロナ帯電部材の長手方向と直交する方向における前記発熱部の幅はこの方向における前記開口部の幅よりも広いことを特徴とする請求項２に記載の画像形成装置。
【請求項４】
前記遮蔽部材の開放動作・遮蔽動作を駆動制御する遮蔽部材駆動装置を備え、
前記遮蔽部材駆動装置は、前記コロナ帯電部材による帯電又は除電を行う際に前記遮蔽部材の開放動作を行い、前記コロナ帯電部材による帯電又は除電を終了する際に前記遮蔽部材の遮蔽動作を行う、
ことを特徴とする請求項１ないし３のいずれか記載の画像形成装置。
【請求項５】
前記コロナ帯電部材による帯電動作又は除電動作を制御する帯電器制御手段を備え、
前記帯電器制御手段は、前記遮蔽部材駆動装置により前記遮蔽部材の開放動作を開始してから前記開放動作が完了する時間以上経過した後、前記コロナ帯電部材による帯電を開始する、
ことを特徴とする請求項４記載の画像形成装置。
【請求項６】
前記発熱部は、前記像担持体の表面に沿った形状に形成された扉状ヒータからなり、
前記遮蔽部材駆動装置は、前記コロナ帯電部材の開口部と前記像担持体との間を含む前記像担持体の表面に沿った位置において前記扉状ヒータをスライド移動自在に支持するスライド機構と、前記スライド機構に支持された前記扉状ヒータをスライド駆動自在なスライド駆動手段と、を有し、前記スライド駆動手段の駆動により前記扉状ヒータの開放動作・遮蔽動作を行う、
ことを特徴とする請求項４又は５記載の画像形成装置。
【請求項７】
前記発熱部は、シート状ヒータからなり、
前記シート状ヒータと開口された穴開き部とを有するシート部材を備え、
前記遮蔽部材駆動装置は、前記シート部材を前記コロナ帯電部材の開口部と前記像担持体との間に張設するシート張設機構と、前記張設されたシート部材を巻き取り自在な巻き取り手段と、を有し、前記巻き取り手段の巻き取り動作により、前記コロナ帯電部材の開口部と前記像担持体との間に前記穴開き部又は前記シート状ヒータが位置するように制御することで、前記遮蔽部材としての開放動作・遮蔽動作を行う、
ことを特徴とする請求項４又は５記載の画像形成装置。
【請求項８】
前記シート張設機構は、前記コロナ帯電部材の開口部の両端にそれぞれ配設されたガイドローラと、前記ガイドローラを前記像担持体の表面に向けて移動駆動自在なローラ移動手段と、を有し、前記ローラ移動手段は、前記シート状ヒータの発熱により前記像担持体の表面を加熱する際に、前記ガイドローラを介して前記シート部材を前記像担持体の表面に向けて移動する、
ことを特徴とする請求項７記載の画像形成装置。
【請求項９】
前記シート張設機構は、少なくとも前記コロナ帯電部材の開口部及び前記開口部に対する側面部分を覆うように前記シート部材を張設してなり、
前記コロナ帯電部材の開口部と前記像担持体との間に前記シート部材の穴開き部が位置するように制御され、前記コロナ帯電部材の帯電動作又は除電動作を行う際にあっても、前記シート状ヒータの発熱により前記コロナ帯電部材を加熱する、
ことを特徴とする請求項７又は８記載の画像形成装置。
【請求項１０】
前記発熱部は、前記コロナ帯電部材の開口部と前記像担持体との間にあって前記ワイヤー方向に張設されるシート状ヒータからなり、
前記張設されたシート部材を前記ワイヤー方向に対して巻き取り自在な巻き取り手段と、
前記シート部材に連結され、かつ前記コロナ帯電部材のワイヤーに沿って接触移動し得る清掃部材と、前記清掃部材を前記ワイヤー方向に移動駆動し得る清掃駆動手段と、を有する清掃装置と、を備え、
前記遮蔽部材駆動装置は、前記清掃駆動手段による前記清掃部材の移動駆動によって前記コロナ帯電部材の開口部と前記像担持体との間に前記シート状ヒータが位置するように、又は前記巻き取り手段の巻き取りによって前記コロナ帯電部材の開口部と前記像担持体との間から前記シート状ヒータが退避するように制御することで、前記遮蔽部材としての開放動作・遮蔽動作を行う、
ことを特徴とする請求項４又は５記載の画像形成装置。
【請求項１１】
ウォームアップ制御の実行が判定された際、前記発熱部の発熱動作を行うと共に前記像担持体を回転し、前記像担持体の表面を加熱する制御を行う制御部を備えた、
ことを特徴とする請求項１ないし１０のいずれか記載の画像形成装置。
【請求項１２】
前記制御部は、前記ウォームアップ制御の実行が判定された際、前記発熱部の発熱動作を行うと共に、前記像担持体を１回転以上回転制御し、前記像担持体の表面全周を加熱する、
ことを特徴とする請求項１１記載の画像形成装置。
【請求項１３】
前記開口部と前記像担持体との間が常時開口されたコロナ帯電部材を備え、
前記制御部は、前記ウォームアップ制御の実行が判定された際、前記発熱部の発熱動作を行うと共に、前記像担持体の表面における前記常時開口されたコロナ帯電部材の開口部に対向していた部分が、前記発熱部に対向する位置を通過する際に、前記像担持体を速度低下ないし停止する回転制御を行い、前記像担持体の表面における前記常時開口されたコロナ帯電部材の開口部に対向していた部分を重点的に加熱する、
ことを特徴とする請求項１１または１２記載の画像形成装置。
【手続補正２】
【補正対象書類名】明細書
【補正対象項目名】０００９
【補正方法】変更
【補正の内容】
【０００９】
上記課題を解決するために本発明は、像担持体と、ワイヤーとシールドとを有し、前記像担持体を帯電するコロナ帯電部材と、前記シールドの前記像担持体に対する開口部を遮蔽可能な遮蔽部材と、を有する画像形成装置において、
前記遮蔽部材は前記遮蔽部材と一体で移動する発熱部を有し、前記遮蔽部材が前記開口部の遮蔽時には少なくとも前記発熱部の一部は前記開口部と前記像担持体の間に位置することを特徴とする画像形成装置にある。
【手続補正３】
【補正対象書類名】明細書
【補正対象項目名】００１３
【補正方法】変更
【補正の内容】
【００１３】
転写部１１には、像担持体としてドラム型の感光体（以下、「感光ドラム」という）１が備えられている。感光ドラム１は画像形成装置本体（不図示）によって矢印Ｒ１方向に回転可能に支持されており、図示を省略した制御部の指令に基づき感光ドラムユニットのドラム駆動装置の制御により回転制御される。ドラム駆動装置には、図示を省略した駆動制御部とそれに接続された駆動モータが備えられており、該駆動モータの駆動により感光ドラム１が回転駆動される。感光ドラム１の周囲には、その回転方向に沿ってほぼ順に、一次帯電器２、露光装置３、現像装置４、転写前帯電器５、転写帯電器６、分離帯電器７、クリーニング装置８、前露光器９が配設されている。このうち、本実施の形態においては、一次帯電器２、転写前帯電器５、転写帯電器６、及び分離帯電器７にコロナ帯電器（コロナ帯電部材）が用いられている。